(57)【要約】  第１出力及び第２出力を有し、第１出力が９０°だけ位相が異なる第１及び第２出力を有する主電力スプリッタ（３３２）と接続され、第２出力が９０°だけ位相が異なる第１及び第２出力を有する補助電力スプリッタ（３４２）と接続されている電力スプリッタ（１２０）と、第１（３３４）及び第２（３３５）の主対増幅器の入力が主電力スプリッタ（３３２）の第１及び第２出力と接続されて成る主最終段階増幅器（２３４）と、第１（３４４）及び第２（３４５）の補助対増幅器の入力が補助電力スプリッタ（３４２）の第１及び第２出力と接続されて成る補助最終段階増幅器（２４４）であり、第１の主対増幅器（３３４）からの出力がインピーダンス変換器（２５０）によって第１の補助対増幅器（３４４）からの出力と接続され、第２の主対増幅器（３３５）からの出力がインピーダンス変換器（２５１）によって第２の補助対増幅器（３４５）からの出力と接続され、相対的な位相シフトがインピーダンス変換器の位相シフトをオフセットすべく主及び補助の電力スプリッタへの信号入力に与えられるように、主及び補助対増幅器を配置して成る。【選択図】図５
2007529937.tif 000002
【特許請求の範囲】
【請求項１】
ドハティ増幅器であって、
第１出力及び第２出力を有し、第１出力は、９０°だけ位相が異なる第１及び第２の出力を有する主電力スプリッタと接続され、第２出力は、９０°だけ位相が異なる第１及び第２の出力を有する補助電力スプリッタと接続されている、電力スプリッタと、
第１及び第２の対とされた主対増幅器の入力が前記主電力スプリッタの第１及び第２出力と接続されて成る主最終段階増幅器と、
第１及び第２の対とされた補助対増幅器の入力が前記補助電力スプリッタの第１及び第２出力と接続されて成る補助最終段階増幅器と、
を備え、
前記第１の主対増幅器からの出力がインピーダンス変換器によって前記第１の補助対増幅器からの出力と接続され、
前記第２の主対増幅器からの出力がインピーダンス変換器によって前記第２の補助対増幅器からの出力と接続され、
相対的な位相シフトが前記インピーダンス変換器の前記位相シフトをオフセットすべく前記主及び補助電力スプリッタへの信号入力に与えられるように、前記主及び補助対増幅器を配置したことを特徴とするドハティ増幅器。
【請求項２】
前記電力スプリッタの前記第１出力と、前記主電力スプリッタの前記入力との間に接続された主駆動増幅器と、
前記電力スプリッタの前記第２出力と、前記補助電力スプリッタの前記入力との間に接続された補助駆動増幅器と、
を備えることを特徴とする請求項１に記載のドハティ増幅器。
【請求項３】
前記インピーダンス変換器は、前記主及び補助電力スプリッタの第２出力の位相が、前記主及び補助電力スプリッタの対応する第１出力の位相に到るまで可変させることを特徴とする請求項１または２に記載のドハティ増幅器。
【請求項４】
前記インピーダンス変換器は、前記主及び補助電力スプリッタの第２出力の位相が、前記主及び補助電力スプリッタの対応する第１出力の位相に対して遅れていることを特徴とする請求項１または２に記載のドハティ増幅器。
【請求項５】
前記電力スプリッタは、前記第１及び第２出力の間の位相シフトにより、前記インピーダンス変換器の位相シフトに対するオフセットを与えることを特徴とする請求項１〜４のいずれか一つに記載のドハティ増幅器。
【請求項６】
前記主及び補助駆動増幅器の少なくとも一方は、前記対応する主または補助電力スプリッタの入力の相対的位相シフトにより、前記インピーダンス変換器の位相シフトに対するオフセットを与えることを特徴とする請求項２〜５のいずれか一つに記載のドハティ増幅器。
【請求項７】
前記第１の補助増幅器の出力と接続された第１の入力ポートと、前記第２の補助増幅器の出力と接続された第２の入力ポートとを有する結合器を更に備え、
前記結合器は、前記補助電力スプリッタによる位相変化と反対の前記第１及び第２の入力ポートで受信された信号の間の位相変化によって、前記第１及び第２の入力ポートで受信された２つの信号を出力ポートで結合することを特徴とする請求項１〜６のいずれか一つに記載のドハティ増幅器。
【請求項８】
前記位相変化が９０°の範囲で位相変化可能であることを特徴とする請求項７に記載のドハティ増幅器。
【請求項９】
前記インピーダンス変換器を介して前記結合器の出力と接続された負荷を更に備えることを特徴とする請求項６〜８のいずれか一つに記載のドハティ増幅器。
【請求項１０】
前記結合器の出力と接続された負荷と、
前記第１の補助増幅器と前記結合器の第１の入力ポートとの間に接続された第１結合用インピーダンス変換器と、
前記第２の補助増幅器と前記結合器の第２の入力ポートとの間に接続された第２結合用インピーダンス変換器と、
を更に備えることを特徴とする請求項６〜９のいずれか一つに記載のドハティ増幅器。
【請求項１１】
前記主及び補助駆動増幅器の内の少なくとも一方が接地されることを特徴とする請求項２〜１０のいずれか一つに記載のドハティ増幅器。
【請求項１２】
前記主及び補助駆動増幅器の内の少なくとも一方が対による平衡増幅器を備えることを特徴とする請求項２〜１０のいずれか一つに記載のドハティ増幅器。
【請求項１３】
前記主電力スプリッタの前で直列に接続された複数の主駆動増幅器を備えることを特徴とする請求項２〜１２のいずれか一つに記載のドハティ増幅器。
【請求項１４】
前記補助電力スプリッタの前で直列に接続された複数の補助駆動増幅器を備えることを特徴とする請求項２〜１３のいずれか一つに記載のドハティ増幅器。
【請求項１５】
入力信号を増幅する方法であって、
前記入力信号を主信号及び補助信号に分割する工程と、
前記主信号を９０°だけ位相が異なる第１主信号及び第２主信号に分割する工程と、
前記補助信号を９０°だけ位相が異なる第１補助信号及び第２補助信号に分割する工程と、
前記第１主信号及び第２主信号を増幅する工程と、
前記第１補助信号及び第２補助信号を増幅する工程と、
前記増幅された第１主信号のインピーダンスを変換する工程と、
前記インピーダンスが変換された、増幅された第１主信号を前記増幅された第１補助信号に加算し、それによって第１加算信号を作り出す工程と、
前記増幅された第２主信号の前記インピーダンスを変換する工程と、
前記インピーダンスが変換された、増幅された第２主信号を前記増幅された第２補助信号に加算し、それによって第２加算信号を作り出す工程と、
を含み、
前記分割の工程における前記信号に相対的位相シフトをおこなうことで、前記変換の工程の前記位相シフトにオフセットを与えることを特徴とする信号増幅方法。
【請求項１６】
前記主信号を、前記主信号を分割する工程に先行して増幅する工程と、
前記補助信号を、前記補助信号を分割する工程に先行して増幅する工程と、
を更に含むことを特徴とする請求項１５に記載の信号増幅方法。
【請求項１７】
前記補助信号を前記分割する工程中におこなわれた位相変化と反対の前記第１及び第２の加算された信号の間の位相変化によって前記第１及び第２の加算された信号を結合することを特徴とする請求項１５または１６に記載の信号増幅方法。
【発明の詳細な説明】
【技術分野】
【０００１】
本発明はドハティ増幅器に関する。より詳細には、本発明はドハティ増幅器内に低減された相互段階反射リップルを有するドハティ増幅器および信号増幅方法に関する。
【背景技術】
【０００２】
１９３０年代において、高効率で線形的なバルブに基づく電力増幅器がＷ．Ｈ．ドハティによって考案された。この「ドハティ」増幅器は、主増幅器と補助増幅器との２つのバルブ増幅器から構成され、電力を非常に効率的な方式で共通負荷に送り出す。近年、ドハティ増幅器は、バルブ増幅器に代わり半導体トランジスタ増幅器で実現されている。
【０００３】
増幅器効率ηは、増幅器回路から出力されるＲＦ電力ＰRFに対する増幅器回路に供給されるＤＣ電力ＰDCの割合であり、η＝ＰRF／ＰDCである。
【０００４】
ドハティ設計に関する問題の１つとして、動作周波数に対する感度が挙げられる。ドハティ増幅器内の各増幅器は入力及び出力の整合を有し、各増幅器の入力及び出力が、変動する電力レベルと共に変わり、不整合を発生する。この不整合は、増幅器の伝達経路内においてリップルを生じ、ドハティ設計において周波数の平坦性を低減する。
【発明の開示】
【発明が解決しようとする課題】
【０００５】
標準的なドハティ増幅器は、従来の増幅器よりも効率的であるが、最適化することは困難である。
【課題を解決するための手段】
【０００６】
本発明にかかるドハティ増幅器は、第１出力及び第２出力を有し、第１出力は、９０°だけ位相が異なる第１及び第２の出力を有する主電力スプリッタと接続され、第２出力は、９０°だけ位相が異なる第１及び第２の出力を有する補助電力スプリッタと接続されている、電力スプリッタと、第１及び第２の対とされた主対増幅器の入力が前記主電力スプリッタの第１及び第２出力と接続されて成る主最終段階増幅器と、第１及び第２の対とされた補助対増幅器の入力が前記補助電力スプリッタの第１及び第２出力と接続されて成る補助最終段階増幅器と、備え、前記第１の主対増幅器からの出力がインピーダンス変換器によって前記第１の補助対増幅器からの出力と接続され、前記第２の主対増幅器からの出力がインピーダンス変換器によって前記第２の補助対増幅器からの出力と接続され、相対的な位相シフトが前記インピーダンス変換器の前記位相シフトをオフセットすべく前記主及び補助電力スプリッタへの前記信号入力に与えられるように、前記主及び補助対増幅器を配置したことを特徴とする。
【０００７】
本発明にかかるドハティ増幅器によれば、改善された周波数平坦性と安定性の長所を有する。
【０００８】
好ましくは、本発明にかかるドハティ増幅器は、前記電力スプリッタの前記第１出力と、前記主電力スプリッタの前記入力との間に接続された主駆動増幅器と、前記電力スプリッタの前記第２出力と、前記補助電力スプリッタの前記入力との間に接続された補助駆動増幅器と、を備えることを特徴とする。
【０００９】
好ましくは、前記インピーダンス変換器は、前記主及び補助電力スプリッタの第２出力の位相が、前記主及び補助電力スプリッタの対応する第１出力の位相に到るまで可変させることを特徴とする。
【００１０】
好ましくは、前記インピーダンス変換器は、前記主及び補助電力スプリッタの第２出力の位相が、前記主及び補助電力スプリッタの対応する第１出力の位相に対して遅れていることを特徴とする。
【００１１】
好ましくは、前記電力スプリッタは、前記第１及び第２の出力の間の位相シフトにより、前記インピーダンス変換器の位相シフトに対するオフセットを与えることを特徴とする。
【００１２】
好ましくは、前記主及び補助駆動増幅器の少なくとも一方は、前記対応する主または補助電力スプリッタの入力の相対的位相シフトにより、前記インピーダンス変換器の位相シフトに対するオフセットを与えることを特徴とする。
【００１３】
好ましくは、前記第１の補助増幅器の出力と接続された第１の入力ポートと、前記第２の補助増幅器の出力と接続された第２の入力ポートとを有する結合器を更に備え、前記結合器は、前記補助電力スプリッタによる位相変化と反対の前記第１及び第２の入力ポートで受信された信号の間の位相変化によって、前記第１及び第２の入力ポートで受信された２つの信号を出力ポートで結合することを特徴とする。
【００１４】
より好ましくは、前記位相変化が９０°の範囲で位相変化可能であることを特徴とする。
【００１５】
本発明にかかるドハティ増幅器は、前記インピーダンス変換器を介して前記結合器の出力と接続された負荷を更に備えることを特徴とする。
【００１６】
本発明にかかるドハティ増幅器の他の実施の形態としては、前記結合器の出力と接続された負荷と、前記第１の補助増幅器と前記結合器の第１の入力ポートとの間に接続された第１結合用インピーダンス変換器と、前記第２の補助増幅器と前記結合器の第２の入力ポートとの間に接続された第２結合用インピーダンス変換器と、を更に備えることを特徴とする。
【００１７】
前記主及び補助駆動増幅器の内の少なくとも一方が接地されることを特徴とする。
【００１８】
前記主及び補助駆動増幅器の内の少なくとも一方が対による平衡増幅器を備えることを特徴とする。
【００１９】
本発明にかかるドハティ増幅器は、前記主電力スプリッタの前で直列に接続された複数の主駆動増幅器を備えることを特徴とする。
【００２０】
本発明にかかるドハティ増幅器は、前記補助電力スプリッタの前で直列に接続された複数の補助駆動増幅器を備えることを特徴とする。
【００２１】
また、本発明にかかる信号を増幅する方法は、入力信号を増幅する方法であって、前記入力信号を主信号及び補助信号に分割する工程と、前記主信号を９０°だけ位相が異なる第１主信号及び第２主信号に分割する工程と、前記補助信号を９０°だけ位相が異なる第１補助信号及び第２補助信号に分割する工程と、前記第１主信号及び第２主信号を増幅する工程と、前記第１補助信号及び第２補助信号を増幅する工程と、前記増幅された第１主信号のインピーダンスを変換する工程と、前記インピーダンスが変換された増幅された第１主信号を前記増幅された第１補助信号に加算し、それによって第１加算信号を作り出す工程と、前記増幅された第２主信号の前記インピーダンスを変換する工程と、前記インピーダンスが変換された増幅された第２主信号を前記増幅された第２補助信号に加算し、それによって第２加算信号を作り出す工程と、を含み、前記分割の工程における前記信号に相対的位相シフトをおこなうことで、前記変換の工程の前記位相シフトにオフセットを与えることを特徴とする。
【００２２】
好ましくは、本発明にかかる方法は、前記主信号を、前記主信号を分割する工程に先行して増幅する工程と、前記補助信号を、前記補助信号を分割する工程に先行して増幅する工程と、を更に含むことを特徴とする。
【００２３】
好ましくは、本発明にかかる方法は、前記補助信号を前記分割する工程中におこなわれた前記位相変化と反対の前記第１及び第２の加算された信号の間の位相変化によって前記第１及び第２の加算された信号を結合することを特徴とする。
【発明を実施するための最良の形態】
【００２４】
以下、添付図面を参照して、本発明の好適な実施の形態を詳細に説明する。ただし、この発明の利用は、後述する実施の形態だけには限られない。
【００２５】
異なる図面における同様の項目或はブロックは、特別のことわりがなければ共通の参照番号を用いる。
【００２６】
図１は、ドハティ増幅器の概略を示すブロック図である。本発明にかかるドハティ増幅器は、主増幅器（１３０）、補助増幅器（１４０）、インピーダンス変換器（１５０）、入力電力分配器（１２０）、共通入力接合点（１１０）、共通出力接合点（１６０）、負荷（１７０）から構成される。
【００２７】
入力電力分配器（１２０）は、信号を分割して、分割された信号の一部分を主増幅器（１３０）経路に沿って通過させ、そして分割された信号の他の部分を補助増幅器（１４０）経路に沿って通過させるようにする。入力電力分配器（１２０）は、付加的な位相シフトによって、補助増幅器（１４０）の入力における信号を主増幅器（１３０）の入力における信号に対して９０°だけ遅延させることで、２つの出力の間に任意の位相の差分を与える。
【００２８】
２つの増幅器（１３０及び１４０）は、相互に同一の位相を有するように設計されている。そして、入力電力分配器（１２０）による位相の遅延は、増幅器（１３０及び１４０）を通じて維持され、補助増幅器（１４０）の出力での信号は主増幅器（１３０）の出力での信号に対して遅延されている。つぎに、主増幅器（１３０）からのＲＦの信号はインピーダンス変換器（１５０）を通過する。この回路は、入力電力分配器（１２０）による補助経路における遅延が、インピーダンス変換器（１５０）における遅延と同一となるように構成されている。したがって、２つの信号は、共通出力接合点（１６０）で再結合される際に再び位相が揃うこととなる。
【００２９】
主増幅器（１３０）は、Ｂ級或はＡＢ級として構成されている。入力されるＲＦの駆動電力が増大すると共に、主増幅器（１３０）は動作して、出力電力が図２（領域α）に示されるように安定して増大する。補助増幅器（１４０）は、Ｃ級にバイアスされるものであり、始めは動作せず、開回路である。区切り点βで、主増幅器（１３０）は、最大効率で動作しており、装置出力電圧のＲＦは、最大値に到達し、ＤＣ供給電圧の２倍となる。しかしながら、区切り点βでの主増幅器（１３０）からの最大出力電力は、実際の飽和出力電力能力の一部分、たとえば、約５０％である。
【００３０】
ドハティ増幅器は、入力駆動レベルが区切り点βを超えて領域χ内に入った場合、補助増幅器（１４０）が動作するように構成されている。したがって、より多量の電流を負荷（１７０）を通じて注入し、共通出力接合点（１６０）におけるインピーダンスを増大する。インピーダンス変換器（１５０）によって、共通出力接合点（１６０）でインピーダンスが変換され、主増幅器（１３０）が負荷インピーダンスを低減させるために始動する。負荷インピーダンスを動的に減少させることで、主増幅器（１３０）において電圧出力特性を劣化或は減少することなく、より多量の電流を出力させる。それ故に、主増幅器（１３０）の出力電力は増大する一方で、主増幅器（１３０）の効率は最大値に維持できる。したがって、主増幅器（１３０）は、領域χの全てにおいて最大効率で動作する。
【００３１】
まず、補助増幅器（１４０）は、出力が最大ＲＦ電圧振幅ではないため、補助増幅器（１４０）自体で充分に効率的である。それ故に、主増幅器（１３０）及び補助増幅器（１４０）の双方の複合効率は、図３に示されるような最大値に到達する前に僅かに低下する。区切り点δにおいて、入力駆動は、充分に増大して、補助増幅器（１４０）も最大効率で動作し、出力ＲＦ電圧振幅も最大値、即ちＤＣ供給電圧の２倍に到達する。
【００３２】
このドハティ増幅器回路の長所は、標準的な電力増幅器のものよりも広範な出力電力レベルを超える高効率で線形的に動作すること、即ち、点ε及び区切り点βの間というよりもむしろ、点ε及び区切り点δの間で線形的及び効率的であることである。最大効率範囲は、インピーダンス変換器（１５０）の値と、主増幅器（１３０）の補助増幅器（１４０）に対する電力能力比とに依存する。
【００３３】
図４は、図１のドハティ増幅器を更に詳細に示したブロック図である。主増幅器（１３０）は、２つの直列した増幅器（２３２及び２３４）を備え、補助増幅器（１４０）は、２つの直列した増幅器（２４２及び２４４）を備える。増幅器２３２は‘主駆動増幅器’であり、Ｂ級或は同類として構成されている。増幅器２３４は‘主最終段階増幅器’であり、Ｂ級或は同類として構成されている。増幅器２４２は‘補助駆動増幅器’であり、Ｃ級或は同類として構成されている。増幅器２４４は‘補助最終段階増幅器’であり、Ｃ級或は同類として構成されている。
【００３４】
２段階の増幅器は、いずれも回路が一般的なドハティ回路のようにバイアス可能である。即ち、Ｂ級主駆動増幅器（２３２）及びＣ級補助駆動増幅器（２４２）によって、より良好なＲＦ特性を有する２つの最終段階増幅器（２３４及び２４４）の加算を可能としている。
【００３５】
本実施の形態において、２つの最終段階増幅器（２３４及び２４４）は、Ｆ級である。Ｆ級増幅器は、トランジスタの電力損失が小さいため、Ｂ級或はＣ級構成の増幅器よりも効率的である。加えて、Ｆ級増幅器の出力を積分高調波フィルタにかけることで、ドハティ・ロード・プリング効果を最適化できる。但し、他の実施の形態において、２つの最終段階増幅器はＦ級以外でもよい。
【００３６】
インピーダンス変換器（２８０）は、負荷（１７０）及び共通ポート（１６０）の間に接続されて、システムの出力インピーダンスを低減させ、伝達線がより高い電力条件で動作できる、マイクロスリップラインを用いて実現できる。他の実施例において、インピーダンス変換器（２８０）は省略されてもよい。
【００３７】
ドハティ増幅器の主増幅器（１３０）及び補助増幅器（１４０）は、電力レベルと共に入力の整合性が変化する。この増幅器はカットオフ値付近でバイアスされ、入力にＲＦ信号の略半分にわたる非線形入力インピーダンスを有する。各増幅器の入力のインピーダンスは、印加された電圧と共に変動する。このように、変化する入力インピーダンスは、伝達路内に可変的な反射を発生し、周波数リップル及び安定性問題を生じる。
【００３８】
ドハティ増幅器の性能は、平衡増幅器（不図示）である２つの駆動回路（２３２及び２４２）を構成することによって改善できる。これは、増幅器（２３２及び２４２）の双方の入力及び出力の整合の改善により、伝達路内の反射及びリップルを低減する。駆動増幅器（２３２及び２４２）は、最終段階増幅器（２３４及び２４４）の入力の不整合性により反射及びリップルを除けない。
【００３９】
標準的な平衡増幅器の最終段階増幅器（２３４及び２４４）で構成することは、この問題を解決できない。主最終段階増幅器（２３４）の出力の最終結合器は、主最終段階増幅器（２３４）の出力を補助最終段階増幅器（２４４）の動的変換出力インピーダンスから効果的に分離する。ドハティ設計の主増幅器（１３０）によって見られる負荷インピーダンスを調整する長所は失われることとなる。
【００４０】
図５は、本発明にかかるドハティ増幅器である。駆動増幅器（２３２及び２４２）は平衡化されるか、或は、図４及び図５に示されるように一方が接地される。主最終段階増幅器（２３４）は、主電力スプリッタ（３３２）から供給を受ける第１及び第２の主対増幅器（３３４及び３３５）を備える。補助最終段階増幅器（２４４）は、補助電力スプリッタ（３４２）から供給を受ける第１及び第２の補助対増幅器（３４４及び３４５）を備える。電力スプリッタ（３３２及び３４２）は、位相に関して略９０°異なり且つ振幅に関して同等である２つの出力を含む。
【００４１】
増幅器（３３４及び３３５と３４４及び３４５）の両方の対からの反射は、接続された電力スプリッタ（各々３３２或は３４２）を介して戻る。電力スプリッタの共通入力で、２つの反射信号は１８０°位相がずれており、相互に打ち消し合う。各電力スプリッタの終了ポートで、反射信号の対は同位相であり、相互に加算される。次いで加算された反射信号は、接続された負荷抵抗（各々３３３或は３４３）で消費される。
【００４２】
つぎに、４つの増幅器（３３４，３４４，３３５，３４５）からの出力は対にされて、既知のドハティ増幅器と同一方に構成される。各主対増幅器（３３４或は３３５）出力が、各インピーダンス変換器（２５０，２５１）を介して、対応する補助対増幅器（３４４或は３４５）と接続される。増幅器前の回路は、各補助対増幅器（３４４或は３４５）出力の位相が対とされた主対増幅器（３３４或は３３５）出力に対して遅延されなければならず、後に再結合するインピーダンス変換器（２５０及び２５１）の位相オフセットを相殺するためである。主対増幅器（３３４及び３３５）の双方は、補助対増幅器（３４４及び３４５）が動作すると共に、負荷インピーダンスを効果的に低減させる。主対増幅器（３３４及び３３５）双方の出力電力は、効率が維持されながら、増大された入力電力と共に増大する。
【００４３】
そして、最終段階増幅器（２３４及び２４４）の平衡構成は、最後のインピーダンス変換器（２８０）及び負荷（１７０）の前段の、共通接続点（２６０及び２６１）の後段に結合器（２５２）を接続して得られる。
【００４４】
この結合器は、第１及び第２の入力ポートと出力ポートとを含む。この結合器は、結合される前の入力ポートと出力ポートとで受信された信号間に位相差を与える。位相差は、補助電力スプリッタによって導入された位相差と反対であり、本実施の形態では−９０°である。
【００４５】
図６は、本発明にかかるドハティ増幅器の他の実施の形態である。動作原理は、駆動増幅器（２３２及び２４２）が平衡増幅器の対を含むことを除いて、図５と類似する。この増幅器の出力は、図示されるように、９０°の範囲で位相変化可能な電力スプリッタと接続されて、増幅器間の反射を低減する。
【００４６】
主及び補助の従動増幅器からの出力は、上述しように主及び補助の電力スプリッタと接続される。
【００４７】
２つの他の実施の形態が図７及び図８にそれぞれ図示されている。他の実施の形態において、インピーダンス変換器２８１は、第１の主対増幅器３３４及び第１の補助対増幅器３４４と接続する共通接合点２６０と結合器２５２との間で、結合器２５２の直前の主信号経路内に接続されている。対応するインピーダンス変換器２８２は、第２の主対増幅器３３５及び第２の補助対増幅器３４５と接続する共通接続点２６１と結合器２５２との間で、結合器２５２の直前の補助信号経路内に接続されている。
【００４８】
上述した実施の形態の電力スプリッタは、３ｄＢカプラーである。上述した実施の形態のトランジスタは、ＧａＡｓトランジスタである。他の実施の形態において、トランジスタは、シリコンＬＤＭＯＳ、ＧａＮ、ＳｉＣでもよい。任意のトランジスタを適切に用いて、補助増幅器（１４０）は、スイッチ・オフにより開回路となる。
【００４９】
上述した実施の形態において、インピーダンス変換器（１５０及び２８０）は、マイクロストリップラインが用いられる。インピーダンス変換器（１５０）は、３８Ωであり、インピーダンス変換器（２８０）は、３０．８６Ωである。これらの構成及び値により、上記の実施の形態を具現化できる。
【００５０】
表面ストリップライン・カプラーはスプリッタ／結合器の構成要素として使用される。また、他の構成でも可能である。
【図面の簡単な説明】
【００５１】
【図１】ドハティ増幅器の概略を示すブロック図である。
【図２】ドハティ増幅器用の入力駆動に対する各装置から出力電圧の理論的特性を示すグラフである。
【図３】ドハティ増幅器用の出力電力に対する理論的効率の特性を示すグラフである。
【図４】図１の実施の形態の概略を更に詳細に示すブロック図である。
【図５】本発明にかかるドハティ増幅器のブロック図である。
【図６】本発明の他の実施の形態の概略を示すブロック図である。
【図７】本発明の他の実施の形態の概略を示すブロック図である。
【図８】本発明の他の実施の形態の概略を示すブロック図である。
【符号の説明】
【００５２】
１２０  入力電力分配器
１６０  共通出力接合点
１７０  負荷
２３２  主駆動増幅器
２４２  補助駆動増幅器
２５０、２５１  インピーダンス変換器
２５２  結合器
２６０、２６１  共通接合点
２８０  インピーダンス変換器
３３２  主電力スプリッタ
３３４  第１の主対増幅器
３３５  第２の主対増幅器
３４２  補助電力スプリッタ
３４４  第１の補助対増幅器
３４５  第２の補助対増幅器
【図１】
2007529937.tif 000003
【図２】
2007529937.tif 000004
【図３】
2007529937.tif 000005
【図４】
2007529937.tif 000006
【図５】
2007529937.tif 000007
【図６】
2007529937.tif 000008
【図７】
2007529937.tif 000009
【図８】
2007529937.tif 000010
【国際調査報告】
2007529937.tif 000011
2007529937.tif 000012